(57)【特許請求の範囲】
【請求項１】
基地局のデータ送受信方法であって、
ラジオフレームで時間的に分割され構成される複数個のサブフレームの構成情報を送信する過程と、
前記サブフレームでそれぞれのダウンリンクサブフレームを準静的領域と動的領域に区分する過程と、
前記準静的領域で制御信号を送信し、前記動的領域がダウンリンクデータ送信のためのものであることを示す情報を前記制御信号が含む場合には前記動的領域でダウンリンクデータを送信し、前記動的領域がアップリンクデータ送信のためのものであることを示す情報を前記制御信号が含む場合には前記動的領域でアップリンクデータを受信する過程と、を含むことを特徴とするデータ送受信方法。
【請求項２】
前記準静的領域で制御信号を送信し、前記動的領域でダウンリンクデータの送信又はアップリンクデータの受信をする前記過程は、
前記ダウンリンクサブフレームをＭＢＳＦＮ(Ｍｕｌｔｉ−Ｍｅｄｉａ Ｂｒｏａｄｃａｓｔ ｏｖｅｒ ａ Ｓｉｎｇｌｅ Ｆｒｅｑｕｅｎｃｙ Ｎｅｔｗｏｒｋ)サブフレームから構成し、
構成された情報を送信する過程を含むことを特徴とする、請求項１に記載のデータ送受信方法。
【請求項３】
前記準静的領域で制御信号を送信し、前記動的領域でダウンリンクデータの送信又はアップリンクデータの受信をする前記過程は、
前記動的領域の５番及び１１番に該当するシンボルのアップリンク基準信号を利用して前記アップリンクデータを受信する過程を含むことを特徴とする、 請求項１に記載のデータ送受信方法。
【請求項４】
前記制御信号は、
前記動的領域で前記アップリンクデータまたはダウンリンクデータのためのチャンネル割り当て情報または前記サブフレームで前記ダウンリンクサブフレームとリンクされてなるアップリンクサブフレームのアップリンクデータのためのチャンネル割り当て情報を含むことを特徴とする、請求項１に記載のデータ送受信方法。
【請求項５】
端末のデータ送受信方法であって、
ラジオフレームで時間的に分割され構成される複数個のサブフレームの構成情報を受信する過程と、
前記サブフレームでそれぞれのダウンリンクサブフレームを準静的領域と動的領域に区分する過程と、
前記準静的領域で制御信号を受信し、前記動的領域がアップリンクデータ送信のためのものであることを示す情報を前記制御信号が含む場合には前記動的領域でアップリンクデータを送信し、前記動的領域がダウンリンクデータ送信のためのものであることを示す情報を前記制御信号が含む場合には前記動的領域でダウンリンクデータを受信する過程を含むことを特徴とする、データ送受信方法。
【請求項６】
前記準静的領域で制御信号を受信し、前記動的領域でアップリンクデータの送信又はダウンリンクデータの受信をする前記過程は、
前記動的領域の５番及び１１番に該当するシンボルでアップリンク基準信号を適用して前記アップリンクデータを送信する過程を含むことを特徴とする、 請求項５に記載のデータ送受信方法。
【請求項７】
前記準静的領域で制御信号を受信し、前記動的領域でアップリンクデータの送信又はダウンリンクデータの受信をする前記過程は、
前記ダウンリンクサブフレームがＭＢＳＦＮサブフレームから構成された情報を受信する過程を含むことを特徴とする、請求項５に記載のデータ送受信方法。
【請求項８】
前記制御信号は、
前記動的領域で前記アップリンクデータまたはダウンリンクデータのためのチャンネル割り当て情報または前記サブフレームで前記ダウンリンクサブフレームとリンクされてなるアップリンクサブフレームのアップリンクデータのためのチャンネル割り当て情報を含むことを特徴とする、請求項５に記載のデータ送受信方法。
【請求項９】
基地局のデータ送受信装置であって、
ラジオフレームで時間的に分割され構成される複数個のサブフレームの構成情報を送信し、前記サブフレームでそれぞれのダウンリンクサブフレームを準静的領域と動的領域に区分するために制御する制御部と、
前記制御部の制御下に、前記準静的領域で制御信号を送信し、前記動的領域がダウンリンクデータ送信のためのものであることを示す情報を前記制御信号が含む場合には前記動的領域でダウンリンクデータを送信し、前記動的領域がアップリンクデータ送信のためのものであることを示す情報を前記制御信号が含む場合には前記動的領域でアップリンクデータを受信するための通信部を含むことを特徴とするデータ送受信装置。
【請求項１０】
前記制御部は、
ダウンリンクサブフレームをＭＢＳＦＮサブフレームから構成し、構成された情報を送信することを特徴とする、請求項９に記載のデータ送受信装置。
【請求項１１】
前記制御信号は、
前記動的領域で前記アップリンクデータまたはダウンリンクデータのためのチャンネル割り当て情報または前記サブフレームで前記ダウンリンクサブフレームとリンクされてなるアップリンクサブフレームのアップリンクデータのためのチャンネル割り当て情報を含むことを特徴とする、請求項９に記載のデータ送受信装置。
【請求項１２】
端末のデータ送受信装置であって、
ラジオフレームで時間的に分割され構成される複数個のサブフレームの構成情報を受信し、前記サブフレームでそれぞれのダウンリンクサブフレームを準静的領域と動的領域に区分するための制御部と、
前記制御部の制御下に、前記準静的領域で制御信号を受信し、前記動的領域がアップリンクデータ送信のためのものであることを示す情報を前記制御信号が含む場合には前記動的領域でアップリンクデータを送信し、前記動的領域がダウンリンクデータ送信のためのものであることを示す情報を前記制御信号が含む場合には前記動的領域でダウンリンクデータを受信するための通信部を含むことを特徴とするデータ送受信装置。
【請求項１３】
前記制御部は、
前記動的領域の５番及び１１番に該当するシンボルでアップリンク基準信号を適用して前記アップリンクデータを送信するように制御することを特徴とする、請求項１２に記載のデータ送受信装置。
【請求項１４】
前記制御部は、
前記ダウンリンクサブフレームがＭＢＳＦＮサブフレームから構成された情報を受信することを特徴とする、請求項１２に記載のデータ送受信装置。
【請求項１５】
前記制御信号は、
前記動的領域において、前記アップリンクデータまたはダウンリンクデータのためのチャンネル割り当て情報または前記サブフレームで前記ダウンリンクサブフレームとリンクされてなるアップリンクサブフレームのアップリンクデータのためのチャンネル割り当て情報を含むことを特徴とする、請求項１２に記載のデータ送受信装置。
【発明の詳細な説明】
【技術分野】
【０００１】
本発明は、無線通信システムにおいて、動的(Ｄｙｎａｍｉｃ)時分割複信(Ｔｉｍｅ ｄｉｖｉｓｉｏｎ ｄｕｐｌｅｘ、以下「ＴＤＤ」と記す)データチャンネル送信方法及び装置に関する。
【背景技術】
【０００２】
直交周波数分割多重(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ)送信方式は、多重キャリア、即ち、マルチ-キャリア(Ｍｕｌｔｉ−ｃａｒｒｉｅｒ)を使用してデータを送信する方式として、直列に入力されるシンボル(Ｓｙｍｂｏｌ)系列を並列化してこれらそれぞれを相互直交関係をもって複数のマルチキャリア、即ち、複数のサブキャリアチャンネル(Ｓｕｂ−ｃａｒｒｉｅｒ ｃｈａｎｎｅｌ)で変調して送信するマルチキャリア変調(Ｍｕｌｔｉ Ｃａｒｒｉｅｒ Ｍｏｄｕｌａｔｉｏｎ)方式の一種である。
【０００３】
このようなマルチキャリア変調方式を適用するシステムは、１９５０年代後半の軍用高周波ラジオの周波数分割多重(Ｆｒｅｑｕｅｎｃｙ Ｄｉｖｉｓｉｏｎ Ｍｕｌｔｉｐｌｅｘｉｎｇ、ＦＤＭ)に初めて適用された。複数の直交するサブキャリアを重ねるＯＦＤＭ方式は、１９７０年代から発展し始めたが、マルチキャリアの間の直交変調の具現が難解な問題であるので、実際システム適用に限界があった。しかし、１９７１年Ｗｅｉｎｓｔｅｉｎなどが前記ＯＦＤＭ方式を使用する変復調は、ＤＦＴ（Ｄｉｓｃｒｅｔｅ Ｆｏｕｒｉｅｒ Ｔｒａｎｓｆｏｒｍ)を利用して効率的に処理ができることを発表しながらＯＦＤＭ方式に対する技術開発が急速に発展した。また、ガードインターバル（ｇｕａｒｄ ｉｎｔｅｒｖａｌ）を使用して、ガードインターバルにサイクリックプレフィックス(Ｃｙｃｌｉｃ Ｐｒｅｆｉｘ、ＣＰ)シンボルを挿入する方式が知られながら多重経路及び遅延拡散(ｄｅｌａｙ ｓｐｒｅａｄ)に対するシステムの否定的影響がより減少された。
【０００４】
このような技術的発展に応じてＯＦＤＭ方式技術は、デジタルオーディオ放送(Ｄｉｇｉｔａｌ Ａｕｄｉｏ Ｂｒｏａｄｃａｓｔｉｎｇ、ＤＡＢ)とデジタルビデオ放送(Ｄｉｇｉｔａｌ Ｖｉｄｅｏ Ｂｒｏａｄｃａｓｔｉｎｇ、ＤＶＢ)、無線近距離通信網(Ｗｉｒｅｌｅｓｓ Ｌｏｃａｌ Ａｒｅａ Ｎｅｔｗｏｒｋ、ＷＬＡＮ)、さらに無線非同期送信モード(Ｗｉｒｅｌｅｓｓ Ａｓｙｎｃｈｒｏｎｏｕｓ Ｔｒａｎｓｆｅｒ Ｍｏｄｅ、ＷＡＴＭ) などのデジタル送信技術に広範囲に適用されている。即ち、ＯＦＤＭ方式はハードウェア的な複雑度(ｃｏｍｐｌｅｘｉｔｙ)によって広く使用されることができなかったが近年高速フーリエ変換(Ｆａｓｔ Ｆｏｕｒｉｅｒ Ｔｒａｎｓｆｏｒｍ、ＦＦＴ)と逆高速フーリエ変換(Ｉｎｖｅｒｓｅ Ｆａｓｔ Ｆｏｕｒｉｅｒ Ｔｒａｎｓｆｏｒｍ、ＩＦＦＴ)を含む各種デジタル信号処理技術が発展することによって実現可能になった。
【０００５】
ＯＦＤＭ方式は、従来のＦＤＭ方式と類似であるが何よりも複数個のトーンの間の直交性（ｏｒｔｈｏｇｏｎａｌｉｔｙ)を維持して送信することによって高速データ送信時の最適の送信効率を得ることができる特徴がある。また、ＯＦＤＭ方式は、周波数使用効率が良く、かつ多重経路フェージング(ｍｕｌｔｉ−ｐａｔｈ ｆａｄｉｎｇ)に強い特性があり、高速データ送信時の最適の送信効率を得ることができるという特徴がある。ＯＦＤＭ方式の他の長所は周波数スペクトラムを重畳して使用するので周波数使用が効率的で、かつ周波数選択的フェージング(ｆｒｅｑｕｅｎｃｙ ｓｅｌｅｃｔｉｖｅ ｆａｄｉｎｇ)に強く、多重経路フェージングに強く、ガードインターバルを利用してシンボルの間の干渉(Ｉｎｔｅｒ Ｓｙｍｂｏｌ Ｉｎｔｅｒｆｅｒｅｎｃｅ、ＩＳＩ)影響を減らすことができ、ハードウェア的に等化器(ｅｑｕａｌｉｚｅｒ)構造を簡単に設計することが可能であり、インパルス(ｉｍｐｕｌｓｅ)性雑音に強いという長所を有し、通信システム構造に積極活用されつつある。
【０００６】
ＯＦＤＭ方式で変調信号は、時間と周波数から構成された２次元リソース(ｒｅｓｏｕｒｃｅ)に位置する。時間軸上のリソースは互いに異なるＯＦＤＭシンボルに区別され、これらは互いに直交する。周波数軸上のリソースは互いに異なるトーン(ｔｏｎｅ)に区別されてこれらも互いに直交する。即ち、ＯＦＤＭ方式では時間軸上で特定ＯＦＤＭシンボルを指定して周波数軸上で特定トーンを指定すると一つの最小単位リソースを示すことができるのに、これをリソース要素(Ｒｅｓｏｕｒｃｅ Ｅｌｅｍｅｎｔ；ＲＥ)と称する。互いに異なるＲＥは、周波数選択的チャンネル(ｆｒｅｑｕｅｎｃｙ ｓｅｌｅｃｔｉｖｅ ｃｈａｎｎｅｌ)を経ても互いに直交する特性があり、互いに異なるＲＥに送信された信号は相互干渉を起こせず受信側に受信されることができる。
【０００７】
物理チャンネルは、一つまたはその以上の符号化されたビット列を変調した変調シンボルを送信する物理階層のチャンネルである。直交周波数分割多元接続(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ、ＯＦＤＭＡ) システムでは送信する情報系列の用途や受信機によって複数の物理チャンネルを構成して送信する。一つの物理チャンネルをどんなＲＥに配置して送信するのかを送信機と受信機が予め約束すべきである。その規則を写像またはマッピング(ｍａｐｐｉｎｇ)と言う。
【発明の概要】
【発明が解決しようとする課題】
【０００８】
無線通信において高速、ハイクオリティーのデータサービスを阻害する要因は、おおよそチャンネル環境に起因する。前記無線通信でチャンネル環境は白色ガウス性雑音(ＡＷＧＮ：ａｄｄｉｔｉｖｅ ｗｈｉｔｅ Ｇａｕｓｓｉａｎ ｎｏｉｓｅ)以外にもフェージング(ｆａｄｉｎｇ)現象によって発生される受信信号の電力変化、陰影(ｓｈａｄｏｗｉｎｇ)、端末機の移動及び頻繁な速度変化によるドップラー(Ｄｏｐｐｌｅｒ)効果、他のユーザ及び多重経路(ｍｕｌｔｉ−ｐａｔｈ)信号による干渉などによってよく変わる。従って、無線通信で高速、ハイクオリティーのデータサービスをサポートするためには前記のようなチャンネル環境の阻害要因を効果的に解消するのが必要である
【課題を解決するための手段】
【０００９】
本発明による無線通信システムのための動的時分割複信データチャンネル送信方法及び装置は、任意のダウンリンクサブフレームを準静的(ｓｅｍｉ−ｓｔａｔｉｃ) 領域と動的(ｄｙｎａｍｉｃ)領域に区分して準静的領域には制御チャンネルを送信して動的領域には基地局のアップ・ダウンリンクのデータ量に適応的にアップリンクデータチャンネルとダウンリンクデータチャンネルで使用する方法であり、セルのトラフィック変化に動的に対応することを目的とする。
【００１０】
本発明の一実施形態によれば、基地局のデータ送受信方法は、ラジオフレームで時間的に分割され構成される複数個のサブフレームの構成情報を送信する過程と、前記サブフレームでそれぞれのダウンリンクサブフレームを準静的領域と動的領域に区分する過程と、前記準静的領域で制御信号を送信し、前記動的領域でアップリンクデータを受信したりダウンリンクデータを送信する過程と、を含むことを特徴とする。
【００１１】
本発明の一実施形態によれば端末のデータ送受信方法は、ラジオフレームで時間的に分割され構成される複数個のサブフレームの構成情報を受信する過程と、前記サブフレームでそれぞれのダウンリンクサブフレームを準静的領域と動的領域に区分する過程と、前記準静的領域で制御信号を受信して、前記動的領域でアップリンクデータを送信したりダウンリンクデータを受信する過程を含むことを特徴とする。
【００１２】
本発明の一実施形態によれば、基地局のデータ送受信装置は、ラジオフレームで時間的に分割され構成される複数個のサブフレームの構成情報を送信し、前記サブフレームでそれぞれのダウンリンクサブフレームを準静的領域と動的領域に区分するための制御部と、前記制御部の制御下に、前記準静的領域で制御信号を送信し、前記動的領域でアップリンクデータを受信したりダウンリンクデータを送信するための通信部と、を含むことを特徴とする。
【００１３】
一方、前記課題を解決するための本発明による端末のデータ送受信装置は、ラジオフレームで時間的に分割され構成される複数個のサブフレームの構成情報を受信し、前記サブフレームでそれぞれのダウンリンクサブフレームを準静的領域と動的領域に区分するための制御部と、前記制御部の制御の下に、前記準静的領域で制御信号を受信し、前記動的領域でアップリンクデータを送信したりダウンリンクデータを受信するための通信部と、を含むことを特徴とする。
【００１４】
本発明によれば、本発明は効率的に高速、ハイクオリティーの無線データサービスをサポートするために、チャンネルの品質低下要因を解消する方法及び装置を提供する。
【図面の簡単な説明】
【００１５】
【図１】一般的な無線通信システムの概念を示した図面である。
【図２】一般的なＴＤＤシステムでフレーム構造を示した図面である。
【図３】本発明が適用される動的ＴＤＤサブフレーム構造を示した図面である。
【図４】本発明で提案する動的ＴＤＤデータチャンネル構造を示した図面である。
【図５】本発明の実施形態による動的ＴＤＤデータチャンネルの送受信関係を示した図面である。
【図６】本発明の実施形態による送受信関係を示した図面である。
【図７】本発明の実施形態によるアップリンクデータチャンネル構造を示した図面である。
【図８】本発明の実施形態による基地局の送信手続きを示した制御フローチャートである。
【図９】本発明の実施形態によるＵＥの受信手続きを示した制御フローチャートである。
【図１０】本発明の実施形態による基地局の構成図である。
【図１１】本発明の実施形態によるＵＥの構成図である。
【発明を実施するための形態】
【００１６】
以下、添付した図面を参照して本発明の好ましい実施形態を詳しく説明する。その際、図面において同一構成要素には可能な限り同一符号が付されている事に留意されたい。また、本発明の要旨を不明瞭にする公知機能及び構成に関する説明は省略する。
【００１７】
以下、本明細書ではＬＴＥ（Ｌｏｎｇ Ｔｅｒｍ Ｅｖｏｌｕｔｉｏｎ)システムとＬＴＥ−Ａ（ＬＴＥ−Ａｄｖａｎｃｅｄ)ＴＤＤシステムの例を挙げて記述するが、本発明は基地局スケジューリングが適用されるその他の無線ＴＤＤ通信システムに別の加減無しに適用可能である。
【００１８】
ＬＴＥシステムは、ＯＦＤＭ方式がダウンリンクに適用された代表的なシステムであり、ＳＣ−ＦＤＭＡ(Ｓｉｎｇｌｅ Ｃａｒｒｉｅｒ−Ｆｒｅｑｕｅｎｃｙ Ｄｉｖｉｓｉｏｎ Ｍｕｌｔｉｐｌｅ Ａｃｃｅｓｓ)方式がアップリンクに適用されるシステムである。ＬＴＥシステムはＦＤＤとＴＤＤシステムの構成が可能であるがＦＤＤの場合には２つの周波数をもって、一つはダウンリンク送信のための周波数帯域に使用し、他の一つはアップリンク送信のための周波数帯域に使用する。ＴＤＤの場合には、一つの周波数帯域のみをもって、一つの周波数帯域を時間軸に区分して任意の時間にはダウンリンク送信をし、他の時間にはアップリンク送信をする方法である。
【００１９】
ＴＤＤシステムの場合には一定規則に応じてアップリンクとダウンリンクが送信されるが、ＬＴＥシステムの場合、総７種場合のＴＤＤラジオフレーム構成をもってＴＤＤラジオフレームの構成は一度のシステムが決定すると殆ど変わらない。ＴＤＤの場合、セルの間の互いに異なる構成を有する場合、干渉によって送受信がならないので、一定地域の全てのセルは同一のＴＤＤ構成をもって同期化されて同一の時間にアップリンクとダウンリンク送信がなる。
【００２０】
ＬＴＥ ＴＤＤやＦＤＤシステムのサブフレームは、共に時間軸へ１ｍｓの長さと周波数軸に全体ＬＴＥ送信帯域幅(Ｂａｎｄｗｉｄｔｈ；ＢＷ)をもって、時間軸に応じて２つのスロットに区分される。ＬＴＥ送信帯域幅は複数個のリソースブロック(Ｒｅｓｏｕｒｃｅ Ｂｌｏｃｋ；以下 、「ＲＢ」)からなり、各ＲＢはリソース割り当ての基本単位として使用される。各ＲＢは、周波数軸に配列された１２個のトーンと時間軸に配列された１４個のＯＦＤＭシンボルから構成されてもよい。このようなサブフレームは制御信号を送信するための制御チャンネル領域、データを送信するためのデータチャンネル領域を含み、制御チャンネル領域及びデータチャンネル領域にチャンネル推定のための基準信号(Ｒｅｆｅｒｅｎｃｅ Ｓｉｇｎａｌ;以下、「ＲＳ」)が挿入される。
【００２１】
一方、一般的な端末に送信される制御チャンネル領域は、時間軸上で１つのサブフレームの先頭に位置する。即ち、制御チャンネル領域はサブフレームの先頭に位置したＬ個のＯＦＤＭシンボルにかけて成ることができる。Ｌは１、２または３の値を有することができる。サブフレームがＭＢＳＦＮ（Ｍｕｌｔｉ−Ｍｅｄｉａ Ｂｒｏａｄｃａｓｔ ｏｖｅｒ ａ Ｓｉｎｇｌｅ Ｆｒｅｑｕｅｎｃｙ Ｎｅｔｗｏｒｋ)の場合、Ｌは２となり、ＭＢＳＦＮは放送情報を送信するチャンネルである。この際、端末機は当該サブフレームの制御チャンネル領域の受信が可能であるがデータチャンネル領域を受信できない。
【００２２】
最近には、ＬＴＥシステムが進化されたＬＴＥ−Ａシステムの開発研究が進行しつつある。ＬＴＥ−Ａシステムは、進化されたシステムでＴＤＤシステムの場合、前述したように一応ＴＤＤラジオフレーム構成が決定されると殆ど変わることができないから動的にデータ量に対応できない。即ち、一定時間の間の多い量のアップリンクが発生しても使用しないダウンリンクサブフレームをアップリンク送信に使用できない。このような問題を解消する研究が進行しつつある。このような問題はセルが階層的に構成された環境で容易に発生する。
【００２３】
図１は、一般的な無線通信システムの概念を示した図面である。図１は、マクロセルとピコセルが等しい領域に階層的に配置された環境である。
【００２４】
図１を参照して説明すれば、１０１はマクロセルを意味し、１０２はピコセルを意味する。ピコセルの場合、一般的にマクロ対比少ない電力に送信してマクロセルでデータトラフィックの要求量が多い地域に設置する。データトラフィックの要求量の多い地域はデータトラフィックの要求が時間によって動的に変わることを意味する。
【００２５】
例えば、複数のユーザがダウンリンクデータ受信とＶｏＩＰ（ｖｏｉｃｅ−ｏｖｅｒ ＩＰ)送受信をする場合、端末はダウンリンクから多くのデータを受信すべきであると共に一定量のデータをアップリンクへ送信しなければならない。従って、システムは大部分のサブフレームをダウンリンクに使用して相対的に少ない量のサブフレームをアップリンク送信に利用するようにＴＤＤラジオフレームを構成する。しかし、一定瞬間に端末は基地局へ多くのデータを送信したりＶｏＩＰアップリンク信号が集中される場合、瞬間的にアップリンクで多くの量のリソースを要求するのに一般的なシステム構成ではこのような要求を反映することができない。
【００２６】
図２は、一般的なＴＤＤシステムでフレーム構造を示した図面である。
【００２７】
図２を参照して説明すれば、一つのラジオフレーム(Ｒａｄｉｏ ｆｒａｍｅ；２０１)は１０ｍｓｅｃの時間間隔をもって２個のハーフラジオフレーム（ｈａｌｆ ｒａｄｉｏ ｆｒａｍｅ;２０２)から構成される。また、一つのハーフラジオフレーム２０２は５個のサブフレーム２０３で分けられる。従って、一つのラジオフレーム２０１は総１０個のサブフレーム２０３をもって、一つのサブフレーム２０３は１ｍｓｅｃの間隔を持つ。それぞれの１０個のサブフレーム２０３は、ＬＴＥでサポートする総７種ＴＤＤ構成に応じて表１のように互いに異なるサブフレームとして使用される。以下、表１を参照して、例えば、０番構成の場合、０番、５番サブフレームインデックスは「Ｄ」と表記されてダウンリンク送信に使用され、２番、３番、４番、７番、８番、及び９番サブフレームインデックスは「Ｕ」と表記されてアップリンク送信に使用される。１番と６番サブフレームインデックスは「Ｓ」と表記されて特別サブフレーム２０４に使用される。
【００２８】
ここで、特別サブフレーム２０４は、総３個の領域、即ち、ＤｗＰＴＳ、ＧＰ、ＵｐＰＴＳ領域に区分される。ＤｗＰＴＳは、ダウンリンク制御チャンネルとデータチャンネルが送信され、ＧＰは何も送信しない領域であり、ＵｐＰＴＳはアップリンク信号を送信する領域である。特別サブフレーム２０４は、アップリンク領域が小さいからＰＲＡＣＨとＳＲＳ送信にだけ使用されてデータや制御チャンネルは送信されない。ＧＰは、ｇｕａｒｄ ｐｅｒｉｏｄ領域であり、この領域は基地局がダウンリンク信号を送信しつつ、アップリンク信号を受信するために必要な時間を保障するためのものである。
【００２９】
【表１】
0005985618.tif 000002
【００３０】
全体ＴＤＤ構成情報を検討すれば、ＴＤＤ構成に関係せず常に同一の送信をするサブフレーム２０３がある。０番、１番、５番、６番サブフレーム２０３は、全てのＴＤＤ構成に関係せず常に同一のサブフレーム構成を持つ。一方、残りサブフレーム２０３の場合には構成によって互いに異なるサブフレーム構成を持つことができる。ＴＤＤシステムでＭＢＳＦＮの場合には、２、３、４、７、８、９番サブフレーム２０３として使用されることができ、これは前述したように０、１、５、６番サブフレーム２０３を除いた部分で、この部分が除かれることはＰＢＣＨ(Ｐｈｙｓｉｃａｌ Ｂｒｏａｄｃａｓｔ Ｃｈａｎｎｅｌ)、ＰＳＳ(Ｐｒｉｍａｒｙ Ｓｙｎｃｈｒｏｎｉｚａｔｉｏｎ Ｓｉｇｎａｌ)、ＳＳＳＳｅｃｏｎｄａｒｙ Ｓｙｎｃｈｒｏｎｉｚａｔｉｏｎ Ｓｉｇｎａｌ)などの同期信号が送信されるからである。  
【００３１】
図３は、本発明が適用される動的ＴＤＤサブフレーム構造を示した図面である。    
【００３２】
図３を参照して説明すれば、一般的なＬＴＥシステムで一度ＴＤＤラジオフレームが構成されると、データトラフィックの量に応じて変更されない。さらに、一般的なＬＴＥシステムで隣接セルのＴＤＤ干渉を無視して、変更されても最小限８０ｍｓｅｃ以上の時間が必要となる。動的に任意のサブフレームを変更するためには３０１と３０２のように任意のアップリンクサブフレームを用いる方法と任意のダウンリンクサブフレームを用いる方法があり得、このような方法はシステムに深刻な問題を発生する。
【００３３】
即ち、３０１のように任意のアップリンクサブフレームを３０３のようにダウンリンクで用いる場合に、次の問題点が発生することができる。第１に、大部分の実際環境で動的なトラフィック変化は、普段には多くのダウンリンクを要求して瞬間的にアップリンクを要求する場合や、アップリンクをダウンリンクに変換する場合には基本的にシステムはアップリンクのリソースが多いＴＤＤラジオフレームを構成すべきであるので実際環境に適合しない。
【００３４】
第２に、アップリンクサブフレームは端末のアップリンク送信プロセスがリンクされているが、特定ダウンリンク制御チャンネルとアップリンクサブフレームをリンクして特定ダウンリンク制御チャンネルでアップリンクデータチャンネルに対する制御チャンネルと応答チャンネルを送信する。従って、もし任意のアップリンクサブフレームが消えると、端末はアップリンクデータプロセスが損失されて端末のアップリンク再送信が終わらない状態では任意のアップリンクサブフレームをダウンリンクに変化することができない。従って、トラフィックに適応的に対応し難い。最後に、端末は任意のサブフレームがダウンリンクとして使用されるのか認知するためにはスケジューリング情報を受信しなければならないのに任意の端末がスケジューリング情報がないにも拘らずアップリンクスケジューリングと認知するｆａｌｓｅ ａｌａｒｍが発生する場合、ダウンリンクを受信する端末と衝突して送受信が円滑にならない致命的な短所がある。
【００３５】
一方、３０２のように任意のダウンリンクサブフレームを３０４のようにアップリンクとして用いる場合には次の問題点が発生することができる。第1に、全ての端末は全ての共通基準信号が送信されるダウンリンク領域で基準信号を利用してチャンネルを受信するのに任意のダウンリンクをアップリンクとして用いる場合、セル内の全ての端末が正確な基準信号を推定することができず、端末がセルとの連結を忘れてしまう。
【００３６】
第２に、アップリンクサブフレームをダウンリンクサブフレームで用いる問題点と同様に、アップリンクサブフレームは端末のアップリンク送信プロセスとリンクされているが、アップリンクデータチャンネルと応答チャンネルのための制御チャンネルを送信するために特定ダウンリンク制御チャンネルがアップリンクサブフレームとリンクされている。従って、もし任意のダウンリンクサブフレームが消えると端末はアップリンクデータプロセスが損失されて端末のアップリンク再送信が終わらない状態では任意のアップリンクサブフレームをダウンリンクに変換することができない短所が発生する。
【００３７】
従って、端末の送受信プロセスの影響を与えないと共に端末の基準信号測定にも影響を与えない動的トラフィックに適応的な方案が必要である。
【００３８】
図４は、本発明で提案する動的にアップ・ダウントラフィックに適応的なＴＤＤラジオフレーム構成方法に対する図面である。
【００３９】
図４を参照して説明すれば、システムがＴＤＤラジオフレーム構成情報を利用して４０１の静的領域を決定してＭＢＳＦＮサブフレーム構成情報を利用して提案する動的送信が可能な領域を区分する。この場合、２、３、４、７、８、９インデックスのサブフレームに可能であり、当該インデックスがダウンリンクとして使用される場合に動的なデータ送信構成が可能なサブフレームとなる。可能なサブフレームは連続的に或いは非連続的に表わすこともできる。システムは端末に可能なサブフレームのうちで実際に動的データ送信に使用される動的データチャンネル情報を送信し、端末は当該領域を動的データ送信に用いる。
【００４０】
動的データチャンネル情報が存在しない場合には全てのＭＢＳＦＮサブフレームが動的データチャンネルに使用され、システム情報を通じて動的データチャンネル適用有無だけ通知することができる。動的データチャンネル情報には動的データチャンネルで発生するアップリンクとダウンリンクプロセスに対する制御チャンネルと応答チャンネルの送受信時間情報を含み、この情報はシステムがシグナリング無しに端末に記録されたことを用いることもできる。動的データ送信が可能なサブフレームは４０２と４０３のように準静的領域と動的領域で分離する。４０２の準静的領域は、基地局が端末で制御チャンネルを送信する領域で、ＭＢＳＦＮの構成情報と動的データチャンネル情報を通じて準静的に変更が可能である。
【００４１】
４０３の動的領域は実際データが送信される領域で、セルのトラフィックによってダウンリンクトラフィックが多い場合にはダウンリンクデータチャンネルが割り当てられてアップリンクトラフィックが増加する場合にはアップリンクデータチャンネルが割り当てられる領域である。４０３の動的領域をダウンリンク送信に作動するか否かは、同一ＭＢＳＦＮサブフレームの準静的領域で受信されたダウンリンク制御チャンネルの有無に応じて決定される。当該準静的領域で端末のためのダウンリンク制御チャンネルを送信する場合、基地局は当該領域にスケジューリングされたデータチャンネルを送信する。
【００４２】
当該領域は、ＭＢＳＦＮサブフレームであり、共通基準信号が存在しない領域であるのでデータチャンネルの送信はＤＭＲＳを利用して送信される。基地局が動的領域をアップリンク送信に用いるために基地局はリンクされた任意のダウンリンク制御チャンネル領域で受信されたアップリンクスケジューリングを送信する。端末がリンクされたダウンリンク制御チャンネル領域でアップリンクスケジューリングを受信すると、リンクされた動的データ領域４０３はアップリンクとして使用されて、基地局は送信を中断して端末の信号を受信する。このような構造は図３で説明した方法の短所を全て補うことができる。
【００４３】
図５は、本発明の適用される動的ＴＤＤデータチャンネルの送受信関係を示した図面である。これは本発明で提案する準静的領域と動的領域を利用してスケジューリング及び基準信号測定の短所を解決することを示したものである。
【００４４】
図５を参照して説明すれば、提案する技術は動的に変化するデータ領域に関係せず常に基地局が制御チャンネルを共に送信するように保障する技術である。従って、５０１、５０３のように当該準静的領域でアップリンクスケジューリング情報とダウンリンクスケジューリング情報、応答チャンネルを送信が可能である。これを通じて、当該動的データチャンネルとリンクされたアップリンク送信に対する応答チャンネル５０３、５０７を動的データチャンネルのダウンリンク送信として使用される５０２とアップリンクとして使用される５０６の状態と関係せずに常に送信することができるので、端末の送信プロセスが終わらなくても動的データ領域を用いることができる長所がある。
【００４５】
また、ＭＢＳＦＮはダウンリンクにだけ適用が可能で提案する技術はダウンリンクをアップリンクに変更する方案であるので、システムがダウンリンクが多いシステムを構成してアップリンクの要求が多い場合に瞬間的に動的領域をアップリンクで割り当てられる方案である。また、ＭＢＳＦＮから構成されたサブフレームは、共通基準信号が制御チャンネル領域にだけ送信されてデータ領域には何らのデータも送信されないので共通基準信号のチャンネル推定に反映されないので、当該領域がアップリンクに送信されても基準信号測定に領域を与えないので全ての端末に影響を与えない。
【００４６】
また、端末が５０５のアップリンクスケジューリング制御チャンネルを受信したと仮定してもこれがｆａｌｓｅ ａｌａｒｍであるか否かに関係せず基地局は５０１の制御チャンネル領域でダウンリンク制御チャンネルを更に送信することができるから、ｆａｌｓｅ ａｌａｒｍを減少することができる。換言すれば、一般的にｐの確率(ｐ＜０)でｆａｌｓｅ ａｌａｒｍが発生すると提案する技術は２つの制御チャンネルがｆａｌｓｅ ａｌａｒｍとなるべきであるので、ｐ＊ｐの確率で問題が発生してｆａｌｓｅ ａｌａｒｍ 問題を解消することができる。
【００４７】
図６は、動的サブフレームがアップリンクとして使用される場合の制御チャンネル、或いは応答チャンネルとデータチャンネルとの関係を示したものである。
【００４８】
図６を参照して説明すれば、システムが全ての端末に一つのＴＤＤラジオフレームの構成を指示する場合、全ての端末は決定された送受信時点でデータチャンネルと制御チャンネルを送受信する。これはアップリンクデータ送信とダウンリンクデータ送信に全部同一に適用される。例えば、６０１のようにｃｏｎｆｉｇｕｒａｔｉｏｎ４を利用してシステムを構成すると、全ての端末は６０２と６０３の時間を基準で、総２個のアップリンクデータプロセスを有することができる。この際、瞬間的に基地局がアップリンクを追加したい場合、ＭＢＳＦＮから構成が可能な任意のダウンリンクを用いることができ、２つの方向と考えられる。
【００４９】
一つの動的サブフレームの適用に変更されたサブフレーム構成が前記表１と同一となる場合であり、他の一つは前記表１に含まれない場合である。先ず、前記表１と同一に含まれる場合は、例えば、６０４のように４番目サブフレームを用いる場合であり、全体アップリンク送信可能な時点を基準で当該構成は表１のＴＤＤラジオフレーム構成４と同一となる。
【００５０】
この場合、端末は前記表１の該当するチャンネルの送受信構成方法を既に認知しているから、動的サブフレームの構成で前記表１の他の構成を適用することができることを認知し、端末は６０７のように前記表１で構成４のように送受信時点を用いることができる。従って、端末は動的サブフレームが適用されて前記表１のさらに他の構成に変更される場合、変更されたアップリンクサブフレームにリンクされたプロセスだけ新たに構成に変更する方法を適用することができ、他の方法としては全てのアップリンクサブフレームにリンクされたプロセスを変更する方法を適用することができる。さらに、他の方案に制御チャンネルに１ｂｉｔ ｆｉｅｌｄを追加して一般的なＴＤＤラジオフレーム構成と臨時に適用されたＴＤＤラジオフレーム構成のうちのどんな情報に応じるのかを区分することができる。
【００５１】
もし、動的サブフレームの変更が前記表１の構成を含まない場合が発生することができるが、例えば、６０６のように９番目サブフレームを動的データチャンネルで用いる場合である。この場合には、制御チャンネル受信を考慮して動的サブフレーム４個以前に最も早いダウンリンク制御チャンネルでアップリンク制御チャンネルを動的サブフレームで４個以後に最も早いサブフレームで制御チャンネルを送信するようにする規則を適用する。
【００５２】
図７は、本発明の実施形態による動的データ領域の実際データ送信方法を示したものである。
【００５３】
図７を参照して説明すれば、７０１は動的データ領域がダウンリンク送信に使用される時点を示したものである。７０２の領域は制御チャンネルが送信される準静的領域で共通基準信号を利用して送信される領域である。７０３は元々は何らのデータも送信されないとか放送チャンネルが送信される領域であり、本発明では当該領域をダウンリンクデータチャンネル送信に使用してデータ送信は端末専用基準信号(ＤＭ−ＲＳ)を利用して送信する。７０４は動的データチャンネルがアップリンクデータチャンネル送信に使用される時点を示したものである。
【００５４】
アップリンクデータ送信の時点にも初めて１個、或いは２個のシンボルは７０２のようにダウンリンク送信に使用され、この領域は端末の制御チャンネルが共通基準信号を利用して送信される。以後、アップリンクで転換するために基地局は送信を中止して端末は端末のリンクの間転換時点７０５と基地局の受信同期時点７０６を考慮して信号を送信する(７０８)。従って、最初２個のシンボルが制御チャンネル送信に使用される場合には７０８のように総１１個のシンボルをアップリンクデータチャンネルに用いることができ、このために基準信号の位置が変更されるべきである。
【００５５】
本発明では１１個のシンボルにアップリンクデータチャンネルを送信するために基準信号を５、１１番目に使用して総１１個のシンボルをデータ送信に用いる構造を提案する。この場合、動的データ領域の有効シンボルは１１個であり、これはアップリンクチャンネルインタリバーに使用される。これはｅｘｔｅｎｄｅｄ ＣＰ(Ｃｙｃｌｉｃ Ｐｒｅｆｉｘ)を利用したサブフレームでＳＲＳ(Ｓｏｕｎｄｉｎｇ Ｒｅｆｅｒｅｎｃｅ Ｓｉｇｎａｌ)が送信される場合と同一であり、またｒａｎｋ ｉｎｆｏｒｍａｔｉｏｎのためのチャンネルインタリバーのｃｏｌｕｍｎ ｓｅｔは{０、３、５、８}を利用する。さらに、ＨＡＲＱ−ＡＣＫ(Ｈｙｂｒｉｄ Ａｕｔｏｍａｔｉｃ Ｒｅｐｅａｔ ＲｅＱｕｅｓｔ ＡＣＫｎｏｗｌｅｄｇｅｍｅｎｔのためのｃｏｌｕｍｎ ｓｅｔは{１、２、６、７}を使用し、この場合もｅｘｔｅｎｄｅｄ ＣＰを利用したサブフレームでＳＲＳが送信される場合と同一の構造を持つことができる。動的データチャンネルがアップリンクデータチャンネルとして使用される場合には端末の応答チャンネルを送信されなく全帯域データチャンネルとして使用されて以前の一部シンボルがダウンリンク制御チャンネルとして損失される部分を償うことができるから全体システム性能を減少しない。
【００５６】
図８は、本発明の実施形態による基地局動作を示したフローチャートである。
【００５７】
図８を参照して説明すれば、８０２段階で基地局はシステム情報でＴＤＤラジオフレーム構成情報とセルのＭＢＳＦＮサブフレーム構成情報を構成してこれを端末で送信する。以後、８０３段階で基地局はＭＢＳＦＮサブフレームで動的データチャンネルを用いるための動的時分割するとき、データ領域情報を構成して構成情報を上位シグナリングを通じて送信する。８０４段階で基地局はＭＢＳＦＮサブフレームに該当するｍ番目サブフレームの動的データ領域がアップリンクとして使用されるかどうかを判断する。
【００５８】
この際、８０４段階でｍ番目サブフレームの動的データ領域がアップリンクとして使用されると判断されると、８０５段階で基地局はｍ−ｋ番目サブフレームの制御チャンネル領域でアップリンクスケジューリング制御チャンネルを送信する。ここで、ｋは前記表１において構成によって定義された時間間隔を意味し、前記表１に該当しない場合、４より大きいのにｍ−ｋがダウンリンクであるサブフレームを意味する。これに、８０６段階で基地局はｍ番サブフレームで制御チャンネルを送信し、８０７段階から受信モードで転換する。この際、基地局はｍ番サブフレームのデータチャンネルに対するチャンネル割り当て情報を送信することができる。または基地局はｍ番サブフレームにリンクされたアップリンクサブフレームのデータチャンネルに対するチャンネル割り当て情報を送信することもできる。さらに、８０８段階で基地局は８０５段階でスケジューリングしたことに基づいて端末のＰｈｙｓｉｃａｌ Ｕｐｌｉｎｋ Ｓｈａｒｅｄ Ｃｈａｎｎｅｌ（ＰＵＳＣＨ）データチャンネルをｓｈｏｒｔｅｎｅｄフォーマットに受信する。この際、基地局はｍ番サブフレームで０番乃至１１番のうち、５番及び１１番に該当するシンボルのアップリンク基準信号を利用してデータチャンネルを受信することができる。
【００５９】
一方、８０４段階で、ｍ番目サブフレームの動的データ領域がダウンリンクとして使用されると判断されると、８０９段階で基地局はｍ番目の制御チャンネル領域でダウンリンクスケジューリング情報を送信する。さらに、８１０段階で基地局はｍ番サブフレームで制御チャンネルを送信する。この際、基地局はｍ番サブフレームのデータチャンネルに対するチャンネル割り当て情報を送信することができる。この後、８１１段階で基地局は端末専用基準信号を利用してデータチャンネルを送信する。この際、基地局はＤＭＲＳを利用してデータチャンネルを送信する。
【００６０】
即ち、基地局はラジオフレームで時間的に分割され構成される複数個のサブフレームで、ＭＢＳＦＮサブフレームを準静的領域と動的領域に区分する。さらに基地局は準静的領域で制御信号を送信して、動的領域でアップリンクデータを受信したりダウンリンクデータを送信する。この際、基地局は準静的領域の制御信号によって動的領域でアップリンクデータを受信したりダウンリンクデータを送信することができる。または基地局はサブフレームでＭＢＳＦＮサブフレームとリンクされて静的からなるサブフレームの制御信号によってＭＢＳＦＮサブフレームの動的領域でアップリンクデータを受信したりダウンリンクデータを送信することができる。または基地局は準静的領域の制御信号によってサブフレームでＭＢＳＦＮサブフレームとリンクされて静的からなるアップリンクサブフレームでアップリンクデータを受信することができる。
【００６１】
図９は、本発明の実施形態による端末の送信過程を示したフローチャートである。
【００６２】
図９を参照して説明すれば、端末は９０２段階で基地局からシステム情報でＴＤＤラジオフレーム構成情報とＭＢＳＦＮ構成情報を受信する。さらに、端末は９０３段階で動的時分割複信データ領域構成情報を受信する。もし、９０４段階でｍ−ｋ番目サブフレームでアップリンクスケジューリング制御チャンネルの受信が成功した場合、端末は９０５段階でｍ番目サブフレームで制御チャンネルを受信する。以後、９０６段階でｍ番目サブフレームでダウンリンク制御チャンネルの受信が成功した場合、端末は９１０のように動的データチャンネルで専用基準信号を利用してデータチャンネルを受信する。
【００６３】
一方、９０６段階でダウンリンクスケジューリング制御チャンネルを受信できない場合、端末は９０７段階から送信モードで転換し、９０８段階でｓｈｏｒｔｅｎｅｄフォーマットを利用して端末のＰｈｙｓｉｃａｌ Ｕｐｌｉｎｋ Ｓｈａｒｅｄ Ｃｈａｎｎｅｌ（ＰＵＳＣＨ）データチャンネルを送信する。
【００６４】
一方、９０４段階でｍ−ｋ番目サブフレームでアップリンク制御チャンネルを受信できない場合、９０９段階でｍ番目サブフレームでダウンリンク制御チャンネルの受信が成功した場合、端末は９１０段階でダウンリンクデータチャンネルを受信する。一方、９０９段階でｍ番目サブフレームでダウンリンク制御チャンネルの受信が失敗した場合には何らのデータも受信せず受信を終了する。
【００６５】
即ち、端末はラジオフレームで時間的に分割され構成される複数個のサブフレームで、ＭＢＳＦＮサブフレームを準静的領域と動的領域に区分する。さらに、端末は準静的領域で制御信号を受信し、動的領域でアップリンクデータを送信したりダウンリンクデータを受信する。この際、端末は準静的領域の制御信号によって動的領域でアップリンクデータを送信したりダウンリンクデータを受信することができる。または端末はサブフレームでＭＢＳＦＮサブフレームとリンクされて静的からなるサブフレームの制御信号によってＭＢＳＦＮサブフレームの動的領域でアップリンクデータを送信したりダウンリンクデータを受信することができる。または端末は準静的領域の制御信号によってサブフレームでＭＢＳＦＮサブフレームとリンクされて静的からなるアップリンクサブフレームでアップリンクデータを送信することができる。
【００６６】
図１０は、本発明の実施形態による基地局のブロック構成図である。
【００６７】
図１０を参照して説明すれば、基地局はＴＤＤ ＲＦ(Ｔｉｍｅ Ｄｉｖｉｓｉｏｎ Ｄｕｐｌｅｘ Ｒａｄｉｏ Ｆｒｅｑｕｅｎｃｙ)装置１００１、動的ＴＤＤ変換器１００２、ＣＲＳＣｅｌｌ−ｓｐｅｃｉｆｉｃ Ｒｅｆｅｒｅｎｃｅ Ｓｉｇｎａｌ)発生器１００５、制御チャンネル発生器１００６、ＤＭＲＳ(Ｄｅｄｉｃａｔｅｄ Ｍｏｄｕｌａｔｉｏｎ Ｒｅｆｅｒｅｎｃｅ Ｓｉｇｎａｌ)発生器１００８、データチャンネル発生器１００９、マッピング器１００４、１００７、アップリンクデータ受信機１０１１、チャンネル推定機１０１２及び制御部１０１０を含む。
【００６８】
ＴＤＤ ＲＦ装置１００１は、時間に応じて送信と受信を実行する。動的ＴＤＤ変換器１００２は制御部１０１０の制御下に、どの時点にＴＤＤ ＲＦ装置１００１をアップリンクとダウンリンクに用いるか決める。ＣＲＳ発生器１００５と制御チャンネル発生器１００６は制御チャンネルを構成して、ＤＭＲＳ発生器１００８とデータチャンネル発生器１００９はダウンリンクデータチャンネルを構成する。マッピング器１００４、１００７はサブフレームに対応して制御チャンネルとデータチャンネルをマッピングする。
【００６９】
チャンネル推定機１０１２はアップリンク基準信号によってアップリンクデータチャンネルを推定し、アップリンクデータ受信機１０１１がアップリンクデータチャンネルを受信する。即ち、本発明で準静的領域が制御チャンネルを送信して動的領域が基地局のデータを送信する場合、動的ＴＤＤ変換器１００２は制御信号を送信して、ダウンリンクデータを送信する。もし、動的データチャンネルがアップリンクとして使用される場合、動的ＴＤＤ変換器１００２はアップリンクデータを受信する。
【００７０】
この時、制御部１０１０はラジオフレームでＭＢＳＦＮサブフレームを準静的領域と動的領域に区分する。さらに、制御部１０１０は準静的領域で制御信号を送信し、動的領域でアップリンクデータを受信したりダウンリンクデータを送信するように制御する。ここで、制御部１０１０は動的領域でＤＭＲＳを適用してダウンリンクデータを送信するように制御することができる。さらに、制御部１０１０は動的領域の０番乃至１１番のうち、５番及び１１番に該当するシンボルのアップリンク基準信号を利用してアップリンクデータを受信するように制御することができる。
【００７１】
同時に、制御信号は動的領域でアップリンクデータまたはダウンリンクデータのためのチャンネル割り当て情報を含むことができる。または制御信号はサブフレームでＭＢＳＦＮサブフレームとリンクされて静的領域からなるアップリンクサブフレームのアップリンクデータのためのチャンネル割り当て情報を含むことができる。または動的領域のチャンネル割り当て情報はサブフレームでＭＢＳＦＮサブフレームとリンクされて静的領域からなる他のサブフレームの制御信号を通じて送信されることができる。
【００７２】
図１１は、本発明の実施形態による端末のブロック構成図である。
【００７３】
図１１を参照して説明すれば、端末はＲＦ装置１１０１、動的ＴＤＤ変換器１１０２、逆マッピング器１１０５、１１０６、共通基準信号受信機１１０７、チャンネル推定器１１０８、制御チャンネル受信機１１０９、ＤＭＲＳ受信機１１１０、チャンネル推定器１１１１、Ｐｈｙｓｉｃａｌ Ｄｏｗｎｌｉｎｋ Ｓｈａｒｅｄ Ｃｈａｎｎｅｌ（ＰＤＳＣＨ） データチャンネル受信機１１１２、データチャンネル発生器１１１３及び制御部１１０３を含む。
【００７４】
ＲＦ装置１１０１は、単一から構成され、送信と受信を共に実行する。動的ＴＤＤ変換器１１０２は制御部１１０３の制御下に、どの時点にＲＦ装置１１０１をアップリンクとダウンリンクに用いるか決定する。逆マッピング器１１０５、１１０６は制御チャンネル及びダウンリンクデータチャンネルを受信する。共通基準信号受信機１１０７が共通基準信号を受信して、チャンネル推定期１１０８が共通基準信号によって制御チャンネルを推定し、制御チャンネル受信機１１０９が制御チャンネルを受信する。
【００７５】
ＤＭＲＳ受信機１１１０が共通基準信号を受信して、チャンネル推定器１１１１が共通基準信号によってダウンリンクデータチャンネルを推定し、データチャンネル受信機１１１２がダウンリンクデータチャンネルを受信する。データチャンネル発生器１１１３はアップリンクデータチャンネルを構成する。即ち、本発明で動的データ領域がダウンリンクとして使用される場合、端末は受信モードで切り替えて基地局から制御チャンネルを受信する。次に、端末は基地局から送信されるダウンリンクデータチャンネルを受信する。動的データ領域がアップリンクとして使用される場合、送信チェーン１１１４を通じて端末のアップリンクデータチャンネルを発生して基地局へ送信する。
【００７６】
この際、制御部１１０３はラジオフレームでＭＢＳＦＮサブフレームを準静的領域と動的領域に区分する。さらに制御部１１０３は準静的領域で制御信号を送信し、動的領域でアップリンクデータを送信したりダウンリンクデータを受信するように制御する。ここで、制御部１１０３は、動的領域でＤＭＲＳを通じてチャンネルを推定してダウンリンクデータを受信するように制御することができる。
【００７７】
さらに制御部１１０３は動的領域の０番乃至１１番のうち、５番及び１１番に該当するシンボルのアップリンク基準信号を適用してアップリンクデータを送信するように制御することができる。同時に、制御信号は動的領域でアップリンクデータまたはダウンリンクデータのためのチャンネル割り当て情報を含むことができる。または制御信号はサブフレームでＭＢＳＦＮサブフレームとリンクされて静的領域からなるアップリンクサブフレームのアップリンクデータのためのチャンネル割り当て情報を含むことができる。または動的領域のチャンネル割り当て情報はサブフレームでＭＢＳＦＮサブフレームとリンクされて静的領域からなる他のサブフレームの制御信号を通じて送信されることができる。
【００７８】
本明細書及び図面に開示された本発明の実施形態は本発明の記述内容を容易に説明したが、本発明の理解を助けるために特定形態を提示したもので、本発明の範囲を限定するものではない。ここに開示された実施形態以外にも本発明の技術的思想に基づいた他の変形形態が実施可能であるということは本発明が属する技術分野で通常の知識を有する者に自明なものであろう。
【符号の説明】
【００７９】
１００１  ＴＤＤ  ＲＦ装置
１００２  変換器
１００４、１００７  マッピング器
１００５  発生器
１００６  制御チャンネル発生器
１００６、ＤＭＲＳ  制御チャンネル発生器
１００８  発生器
１００８  発生器
１００９  データチャンネル発生器
１０１０  制御部
１０１１  アップリンクデータ受信機
１０１２  チャンネル推定機
１１０１  装置
１１０２  変換器
１１０３  制御部
１１０５、１１０６  逆マッピング器
１１０７  共通基準信号受信機
１１０８  チャンネル推定器
１１０８  チャンネル推定期
１１０９  制御チャンネル受信機
１１０９、ＤＭＲＳ  制御チャンネル受信機
１１１０  受信機
１１１１  チャンネル推定器
１１１２  データチャンネル受信機
１１１３  データチャンネル発生器
１１１４  送信チェーン
【図１】
0005985618.tif 000003
【図２】
0005985618.tif 000004
【図３】
0005985618.tif 000005
【図４】
0005985618.tif 000006
【図５】
0005985618.tif 000007
【図６】
0005985618.tif 000008
【図７】
0005985618.tif 000009
【図８】
0005985618.tif 000010
【図９】
0005985618.tif 000011
【図１０】
0005985618.tif 000012
【図１１】
0005985618.tif 000013